(57)【特許請求の範囲】
【請求項１】
移動局と、
前記移動局と無線通信を行なう基地局と、
前記基地局と接続されているアクセスゲートウェイと、
前記アクセスゲートウェイと接続されている呼制御サーバを具備する通信システムにおいて、
前記呼制御サーバは、前記移動局から前記基地局およびアクセスゲートウェイを介してＳＩＰのＲＥＧＩＳＴＥＲメッセージのＴＯ／ＦＲＯＭヘッダにＴＥＬＵＲＩを指定した要求信号を受けると、ＴＥＬＵＲＩをＳＩＰＵＲＩに変換し、前記ＳＩＰＵＲＩを付与した信号を前記アクセスゲートウェイへ送り、
前記アクセスゲートウェイは、前記ＳＩＰＵＲＩを付与した信号を受けて、前記移動局の前記ＳＩＰＵＲＩによる位置登録処理を行なうことを特徴とする通信システム。
【請求項２】
前記呼制御サーバは、前記ＲＥＧＩＳＴＥＲメッセージに基づいて前記移動局の位置登録処理を行ない、応答信号として前記ＳＩＰＵＲＩを付与した信号を前記アクセスゲートウェイへ送ることを特徴とする請求項１に記載の通信システム。
【発明の詳細な説明】
【技術分野】
【０００１】
この発明は、ＳＩＰ（session initiation protocol）のＲＥＧＩＳＴＥＲメソッドを用いる無線通信システムに関する。
【背景技術】
【０００２】
従来から、ＳＩＰを用いて通信を行う無線通信システムが知られている。このような無線通信システムにおいては、通信において移動局から位置登録を行う際に、ＲＥＧＩＳＴＥＲメッセージのＴＯ／ＦＲＯＭヘッダには、図６に示すようなＳＩＰＵＲＩ（Session Initiation Protocol Uniform Resource Identifier）が使用される。
【０００３】
特許文献１は、ＳＩＰを用いて通信を行なう無線通信システムに関する技術が開示されている。
【先行技術文献】
【特許文献】
【０００４】
【特許文献１】特開２００８−２９４８２１号公報
【発明の概要】
【発明が解決しようとする課題】
【０００５】
従来、移動局から位置登録を行なう場合に、移動局の電話番号であるＴＥＬＵＲＩをＲＥＧＩＳＴＥＲメッセージのＴＯ／ＦＲＯＭヘッダに使用すると、呼制御サーバでは、異常メッセージと判断して位置登録処理を中断してしまうという問題がある。
【０００６】
このため、移動局から位置登録を行なう場合には、ＳＩＰＵＲＩを用いて位置登録処理を行なう必要があり、移動局側でＴＥＬＵＲＩをＳＩＰＵＲＩに変換する処理などの移動局側の改善等が必須となる。
【０００７】
本発明は、移動局側の改良を必要とせず、ＴＥＬＵＲＩをＲＥＧＩＳＴＥＲメッセージのＴＯ／ＦＲＯＭヘッダに使用した場合でも位置登録を行なうことができる無線通信システムを提供することを目的とする。
【課題を解決するための手段】
【０００８】
課題を解決する一実施形態は、
移動局（１１）と、
前記移動局と無線通信を行なう基地局（１３）と、
前記基地局と接続されているアクセスゲートウェイ（１５）と、
前記アクセスゲートウェイと接続されている呼制御サーバ（１６）を具備する通信システムにおいて、
前記呼制御サーバは、前記移動局から前記基地局およびアクセスゲートウェイを介してＳＩＰのＲＥＧＩＳＴＥＲメッセージのＴＯ／ＦＲＯＭヘッダにＴＥＬＵＲＩを指定した要求信号を受けると、ＴＥＬＵＲＩをＳＩＰＵＲＩに変換して前記要求信号を前記アクセスゲートウェイに返送することで、前記アクセスゲートウェイに前記移動局がどの基地局と通信を行なっているかを登録させることを特徴とする通信システムである。
【発明の効果】
【０００９】
アクセスゲートウェイに接続された呼制御サーバにおいて、ＴＥＬＵＲＩをＳＩＰＵＲＩに変換して、アクセスゲートウェイに送信することにより、簡易な構成のシステムにより、移動局の位置登録処理を確実に行なうことができる。
【図面の簡単な説明】
【００１０】
【図１】本発明の一実施形態に係る通信システムの構成の一例を示すブロック図。
【図２】本発明が示されていない実施形態におけるＳＩＰによる位置登録の手順の一例を示すシーケンス図。
【図３】本発明が示されていない実施形態におけるＳＩＰによる位置登録の手順の一例を示すシーケンス図。
【図４】本発明の一実施形態に係る通信システムにおける位置登録を行なうための手順を示すシーケンス図。
【図５】同じく通信システムにおけるメッセージの内容の一例を示す説明図。
【図６】同じく通信システムにおけるＳＩＰ  ＵＲＩの一例を示す説明図。
【発明を実施するための形態】
【００１１】
以下、この発明の実施の形態について図面を参照して詳細に説明する。
【００１２】
図１は、本発明を適用した本実施形態に係るデジタル移動無線通信システムの構成例を示す。本発明の実施形態に係るデジタル移動無線通信システム１は、移動局である携帯型の無線端末装置１１と、移動局である車載型の無線端末装置１２と、複数の基地局装置１３、１４と、複数の基地局装置を包括するアクセスゲートウェイ１５と、呼の管理を行う呼制御サーバ１６を備えている。
【００１３】
携帯型無線端末装置１１、または、車載型無線端末装置１２は、それぞれ例えば“１Ｂ５Ａ”のような端末番号があらかじめ付与されている。通常、携帯型無線端末装置１１が通話を開始する前には、自分がどの基地局エリア内に存在するかの登録を行うため、アクセスゲートウェイ１５に対して、端末状態登録（位置登録）を行う。
【００１４】
初めに、ＳＩＰを用いて通信を行なう一般的な通信方法について図２及び図３を用いて説明する。ＳＩＰを用いて通信を開始する場合、まずＲＥＧＩＳＴＥＲメソッドによりコンタクトインフォメーションを登録する。図２に示すように、発信者２１からＲＥＧＩＳＴＥＲがプロキシサーバ（呼制御サーバ）２２あてに送信される（ステップＳ１）。送信されるＲＥＧＩＳＴＥＲメッセージにＳＩＰＵＲＩを用いた具体的な内容は、図３のステップＳ１のような内容になっている。
【００１５】
プロキシサーバ２２においては、発信者の登録が終了すると“２００  ＯＫ”のメッセージを発信者２１に対して送信する（ステップＳ２）。“２００  ＯＫ”の具体的な内容を、図３のステップＳ２に示す。この際に、ＲＥＧＩＳＴＥＲメッセージの下線部に示すように、ＴＯヘッダ、ＦＲＯＭヘッダには、通常、図６に示すようなＳＩＰＵＲＩが使用される。そのため、ＴＯ／ＦＲＯＭヘッダに例えば“ｔｅｌ：＋９７２−４２３−１２３４”のようなＴＥＬＵＲＩを指定した場合、プロキシサーバ２２の方で異常メッセージと判断して破棄してしまうため、位置登録処理は中断してしまう。
【００１６】
（位置登録方法）
次に、本発明に係る一実施形態である、呼制御サーバ１６によるＴＥＬＵＲＩからＳＩＰＵＲＩへの変換処理を伴った、携帯型無線端末装置の端末状態登録（位置登録）を行う方法について、図４および図５を用いて説明する。初めに、携帯型無線端末装置１１から第１基地局装置１３に向けて、端末状態登録信号が送信される（ステップＳ１１）。この要求を受けた第１基地局装置１３は、アクセスゲートウェイ１５に向けて同様の端末状態登録信号を送信する（ステップＳ１２）。アクセスゲートウェイ１５では、端末状態登録信号を受けると、端末状態登録メッセージ内の発呼端末番号などの必要なパラメータを抽出し、ＳＩＰのＲＥＧＩＳＴＥＲメソッドを生成して呼制御サーバ１６に送信する（ステップＳ１３）。
【００１７】
アクセスゲートウェイ１５において、例えば、図５に示される端末状態登録信号からＲＥＧＩＴＥＲメソッドを生成するためには、発呼端末番号からＲＥＧＩＳＴＥＲのＦＲＯＭ／ＴＯヘッダを用意し、登録種別から『登録』であればＥＸＰＩＲＥＳ値を“０ＸＦＦＦＦ”（無限大）に設定し、『削除』であればＥＸＰＩＲＥＳ値を“０”に設定することで、ＲＥＧＩＳＴＥＲメソッドを生成する。
【００１８】
ここで、図５のステップＳ１３のＲＥＧＩＳＴＥＲメソッドのＦＲＯＭ／ＴＯヘッダには発呼端末番号がＴＥＬＵＲＩとして設定されており、図６のようなＳＩＰＵＲＩ形式ではなく、ＲＦＣ３９６６で規定されているようなＴＥＬＵＲＩを用いて端末番号を表現している。通常であれば呼制御サーバ１６で異常メッセージと判断して破棄されてしまうが、この実施形態では呼制御サーバ１６において、ＴＥＬＵＲＩを正常に受領して処理を行い、登録が完了したら“２００  ＯＫ”をアクセスゲートウェイ１５に送信する（ステップＳ１４）。
【００１９】
すなわち、呼制御サーバ１６は、受領したＴＥＬＵＲＩを図５のステップＳ１４で図６に示すようなＳＩＰＵＲＩに変換し、“２００  ＯＫ”メソッドのＰ−Ａｓｓｏｃｉａｔｅｄ−ＵＲＩヘッダに変換したＳＩＰＵＲＩを載せて、アクセスゲートウェイ１５に送信する。“２００  ＯＫ”を受けたアクセスゲートウェイ１５では、ここで初めてＳＩＰＵＲＩを登録することが可能となる。
【００２０】
その後、アクセスゲートウェイ１５は、第１基地局装置１３へ送る応答メッセージを作成するために必要なパラメータを“２００  ＯＫ”から抽出して、応答メッセージを作成し、第１基地局装置１３へ送信する（ステップＳ１５）。第１基地局装置１３では、応答として携帯型無線端末装置１１に送信する（ステップＳ１６）。以上の処理により、位置登録処理が完了する。
【００２１】
以上、詳細に説明したように、本発明に係る一実施形態においては、呼制御サーバ１６において、ＴＥＬＵＲＩをＳＩＰＵＲＩに変換してこのＳＩＰＵＲＩを載せて“２００  ＯＫ”をアクセスゲートウェイ１５に送信することで、呼制御サーバ１６がＴＥＬＵＲＩを識別不能として登録処理が中断するということがなくなり、確実な携帯型の無線端末装置の位置登録処理を可能とするものである。
【００２２】
すなわち、従来、携帯型無線端末装置のもつ発呼端末番号をそのままＴＥＬＵＲＩとしてアクセスゲートウェイ１５から呼制御サーバ１６に送信すると、呼制御サーバ１６は異常メッセージと判断して破棄していた。アクセスゲートウェイ１５においてＴＥＬＵＲＩからＳＩＰＵＲＩへの変換テーブルを持っていれば解決可能であるが、アクセスゲートウェイ１５が複数になった場合、一つ端末が増えるごとに全てのアクセスゲートウェイ１５に変換テーブルを追加する必要を生じる。
【００２３】
本実施形態では、アクセスゲートウェイ１５の数と呼制御サーバ１６の数は必ず（アクセスゲートウェイ）≧（呼制御サーバ）となることに着目し、呼制御サーバ１６においてＴＥＬＵＲＩからＳＩＰＵＲＩへの変換を行なうことにより、効率的な変換処理および登録処理を可能としている。
【００２４】
また、携帯型無線端末装置を改良し、ＳＩＰＵＲＩをＲＥＧＩＳＴＥＲメッセージのＴＯ／ＦＲＯＭヘッダに使用することで解決も可能であるが、本実施形態では携帯型無線端末の改良を行なう必要がなく登録処理を可能とする。
【００２５】
なお、上記の実施形態は、一例として、デジタル移動無線通信システムを用いて説明したが、有線系で構築されているシステムにおいても本発明を適用することが可能である。また、本発明の上記実施形態は一例としてデジタル移動無線通信システムを用いて説明したが、他のシステムを適用した移動通信システムでも使用可能である。
【００２６】
以上記載した様々な実施形態は複数同時に実施することが可能であり、これらの記載により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【符号の説明】
【００２７】
１…無線通信システム、１１…携帯型無線端末装置、１２…車載型無線端末装置、１３…第１基地局、１４…第２基地局、１５…アクセスゲートウェイ（ＡＧＷ）、１６…呼制御サーバ装置、２１…発信者、２２…プロキシサーバ。
【図１】
0005544150.tif 000002
【図２】
0005544150.tif 000003
【図３】
0005544150.tif 000004
【図４】
0005544150.tif 000005
【図５】
0005544150.tif 000006
【図６】
0005544150.tif 000007